(57)【要約】【課題】動画の画質劣化を防ぐとともに小型化を図ることが可能な発光装置およびそれを備えた映像表示装置を提供する。【解決手段】光を透過することにより画像を表示し、光の透過状態が所定期間ごとに更新されるパネル１２に光を照射する発光装置２であって、各々が、１個または複数個の発光素子２１１を含み、パネル１２に光を照射するｎ（ｎは２以上の自然数）個の光源回路２１ａ〜２４ａ，２１ｂ〜２４ｂと、光源回路２１ａ〜２４ａ，２１ｂ〜２４ｂを駆動する駆動回路部ＤＶ１，ＤＶ２と、光源回路２１ａ〜２４ａ，２１ｂ〜２４ｂの各々と、駆動回路部ＤＶ１，ＤＶ２との導通および非導通をそれぞれ切り替えるスイッチＳＷ２１ａ〜ＳＷ２４ａ，ＳＷ２１ｂ〜ＳＷ２４ｂと、これらの各スイッチを制御して、所定期間をｎ分割したｎ個の発光期間において対応の光源回路をそれぞれ発光させる制御部１４とを備える。【選択図】図２
2008096902.tif 000002
【特許請求の範囲】
【請求項１】
光を透過することにより画像を表示し、光の透過状態が所定期間ごとに更新されるパネルに光を照射する発光装置であって、
各々が、１個または複数個の発光素子を含み、前記パネルに光を照射するｎ（ｎは２以上の自然数）個の光源回路と、
前記光源回路を駆動する駆動回路部と、
前記光源回路の各々と、前記駆動回路部との導通および非導通をそれぞれ切り替えるｎ個のスイッチと、
前記ｎ個のスイッチを制御して、前記所定期間をｎ分割したｎ個の発光期間において対応の前記光源回路をそれぞれ発光させる制御部とを備える発光装置。
【請求項２】
前記制御部は、さらに、前記ｎ個のスイッチを制御して、前記発光期間において対応の前記光源回路を複数回点滅させる請求項１記載の発光装置。
【請求項３】
前記パネルの表示する１つの画像は、複数のフィールド期間に分けて更新され、
前記所定期間は、前記複数のフィールド期間のうちの１つのフィールド期間である請求項１記載の発光装置。
【請求項４】
前記駆動回路部は、
並列に接続され、前記ｎ個のスイッチを介して前記ｎ個の光源回路に電流を供給する複数個の定電流回路を含む請求項１記載の発光装置。
【請求項５】
前記駆動回路部は、前記光源回路に電流を供給する電流吸い込み型の定電流回路を含む請求項１記載の発光装置。
【請求項６】
前記駆動回路部は、前記光源回路に流れる電流を検出し、前記検出結果に基づいて前記光源回路に電圧を供給するスイッチングレギュレータ回路である請求項１記載の発光装置。
【請求項７】
前記パネルは、それぞれ液晶表示素子を含む複数個の表示領域に分割され、
前記ｎ個の光源回路の各々は、対応の前記表示領域に光を照射し、
前記制御部は、前記ｎ個のスイッチを制御して、前記表示領域の液晶表示素子に供給される電圧が更新されてから前記液晶表示素子の応答が完了するまで前記表示領域に対応する光源回路を消灯させ、前記表示領域の液晶表示素子の応答が完了してから前記表示領域に対応する光源回路を発光させる請求項１記載の発光装置。
【請求項８】
前記パネルは、それぞれ液晶表示素子を含む複数行の表示領域に分割され、
前記ｎ個の光源回路の各々は、
直列接続される複数個の前記発光素子と、
前記複数個の発光素子が直線状に配置される矩形状の発光素子用基板とを含み、
前記ｎ個の発光素子用基板は、前記発光素子の配置方向が前記パネルの行方向と略平行になるように前記パネルの列方向に並んで配置される請求項７記載の発光装置。
【請求項９】
前記制御部は、前記ｎ個の発光期間の長さをそれぞれ設定する請求項１記載の発光装置。
【請求項１０】
前記発光素子は発光ダイオードである請求項１記載の発光装置。
【請求項１１】
光を透過することにより画像を表示し、光の透過状態が所定期間ごとに更新されるパネルと、
各々が、１個または複数個の発光素子を含み、前記パネルに光を照射するｎ（ｎは２以上の自然数）個の光源回路と、
前記光源回路を駆動する駆動回路部と、
前記光源回路の各々と、前記駆動回路部との導通および非導通をそれぞれ切り替えるｎ個のスイッチと、
前記ｎ個のスイッチを制御して、前記所定期間をｎ分割したｎ個の発光期間において対応の前記光源回路をそれぞれ発光させる制御部とを備える映像表示装置。
【発明の詳細な説明】
【技術分野】
【０００１】
本発明は、映像を表示するための透過型の表示部に光を照射する発光装置およびそれを備えた映像表示装置に関するものである。
【背景技術】
【０００２】
近年、パーソナルコンピュータのモニタおよびテレビの映像表示等に用いられる、透過型の液晶表示素子を含む液晶パネルを備えた映像表示装置が普及している（たとえば、特許文献１〜３参照）。液晶パネルは自ら発光するものではなく、液晶パネルの背面側にバックライトと呼ばれる光源を設置し、液晶パネルにバックライトからの光を透過させることで画像表示を行なうものである。また、画像表示方式の一つとして、インターレース方式が知られている。インターレース方式とは、１画像（１フレーム）の表示を複数のフィールド期間に分けて行なう方式である。日本のテレビジョン放送で使用されているＮＴＳＣ（National Television Standards Committee）方式では１画像の半分の情報が１フィールド期間で更新される。
【０００３】
このような液晶表示素子を用いた映像表示装置は、従来のブラウン管（ＣＲＴ：Cathode Ray Tube）を用いた映像表示装置とは異なり、表示される画像の輝度が１フィールド期間にわたってほぼ一定に保たれる、ホールド型と呼ばれる駆動方式（以下、ホールド型駆動方式とも称する。）を採用する映像表示装置である。ホールド型駆動方式の映像表示装置では、尾引きまたは動画ボケと呼ばれる、動画の画質劣化が発生することが知られている。ホールド型駆動方式の映像表示装置における動画画質劣化の要因としては、網膜残像の影響があることが知られている。つまり、ホールド型駆動方式の映像表示装置では、１フィールド期間中、常に画像が表示され続けるため、観察者の網膜上で異なるフィールド期間の画像が重ねられる。このため、観察者が輪郭のボケおよびなまりを感じてしまう。
【０００４】
ホールド型駆動方式の映像表示装置の尾引きを改善する手段としては、特許文献１に示されるような、いわゆるインパルス型点灯方式が知られている。インパルス型点灯方式とは、１フィールド期間において、光源を点灯させる短期間の発光期間を設け、発光期間以外は光源を消灯させておく消灯期間とするものである。特許文献１記載の映像表示装置では、光源と観察者との間にシャッタを設け、このシャッタがオン状態の場合のみ、光源からの光を観察者に到達させる。そして、１フィールド期間において、シャッタのオン状態およびオフ状態を切り替えることで発光期間および消灯期間を設けることにより、インパルス型点灯方式を実現している。
【０００５】
図９（ａ）は、映像表示装置における垂直同期信号を示す波形図である。図９（ｂ）〜（ｄ）は、映像表示装置におけるシャッタのオン状態およびオフ状態のタイミングを示す波形図である。
【０００６】
図９（ａ）を参照して、垂直同期信号の１周期が、１フィールド期間に相当する。ＮＴＳＣ方式の場合、垂直同期信号の周波数は約６０Ｈｚであり、１フィールド期間は、６０Ｈｚの１周期すなわち１６．７ｍｓｅｃである。
【０００７】
図９（ｂ）は、シャッタを常にオンにした状態すなわちホールド型駆動方式を示している。これに対し、図９（ｃ）は、フィールド期間の１／２（５０％）だけシャッタをオンにした状態を示している。また、図９（ｄ）は、フィールド期間の１／４（２５％）だけシャッタをオンにした状態を示している。図９（ｂ）および（ｃ）のように１フィールド期間内でシャッタをオフにする期間を設けることにより、バックライトがインパルス型に発光したのと同等の効果が観察者において得られ、動画画像の尾引きを改善する、すなわち映像表示装置の動画画質劣化を防ぐことができる。なお、図９（ｃ）に示す方式は、図９（ｂ）に示す方式と比べてバックライトの発光期間が短く、バックライトの発光波形がインパルス型により近くなるため、動画画像の尾引きを改善する効果がさらに大きくなる。
【特許文献１】特開平９−３２５７１５号公報
【特許文献２】特許第３７４２０９３号公報
【特許文献３】特開２００５−２５８４０３号公報
【非特許文献１】「カラー画像工学」，映像情報メディア学会編，オーム社出版局，１９９７年，ｐ．２３−２４
【発明の開示】
【発明が解決しようとする課題】
【０００８】
ところで、バックライト装置の光源としてＣＣＦＬ（Cold Cathode Fluorescent Lighting：冷陰極蛍光ランプ）に代わり発光ダイオード（ＬＥＤ：Light Emitting Diode）を使用することが提案されている。光源としてＬＥＤを使用する場合、ＬＥＤを一定の輝度で発光させるためには定電流駆動回路が必要となる。大型のバックライト装置では、輝度を確保するためにＬＥＤを多数接続する必要があることから、複数の出力端子を有する定電流ドライバＩＣ（Integrated Circuit）が駆動回路として使用される。
【０００９】
図１０（ａ）〜（ｃ）は、バックライト装置における駆動部の構成を示す図である。
図１０（ａ）に示すバックライト装置においては、ＬＥＤが５個直列に接続されたＬＥＤ列が並列に配置されている。ＬＥＤ列は電流シンク型の定電流ドライバＩＣの出力端子に接続される。定電流ドライバＩＣは、対応のＬＥＤ列を駆動する。
【００１０】
図１０（ａ）に示す定電流ドライバＩＣは４本の出力端子を有しているため、４個のＬＥＤ列ごとに定電流ドライバＩＣ１個が必要となる。
【００１１】
ここで、特許文献１に示されるようなインパルス型点灯方式を実現する場合、ＬＥＤを発光させるためのパルス幅を１フィールド期間に対して十分に狭く設定することが望まれる。しかしながら、パルス幅を狭くした場合、バックライト装置の輝度を確保するために、ＬＥＤに供給するピーク電流値を従来のホールド型駆動方式における電流値と比べて増加させる必要がある。
【００１２】
たとえば、先述の図９（ｃ）および（ｄ）に示すようなインパルス型点灯方式と、図９（ｂ）に示すようなホールド型駆動方式の場合とで観察者から見たＬＥＤの明るさ、すなわち輝度の時間平均値を等しくするためには、図９（ｃ）に示す駆動方式ではピーク電流値Ｉｃを図９（ｂ）に示すホールド型駆動方式の電流値Ｉｂの２倍にする必要があり、また、図９（ｃ）に示す駆動方式ではピーク電流値Ｉｄを図９（ｂ）に示すホールド型駆動方式の電流値Ｉｂの４倍にする必要がある。なお、上記はＬＥＤの光出力すなわちＬＥＤの発光量が、ＬＥＤの駆動電流値に比例すると仮定した場合に該当し、駆動電流−光出力特性が飽和に近づく場合には、さらに大きな電流をＬＥＤに供給する必要が生じる。
【００１３】
ＬＥＤを定電流駆動するためのＬＥＤドライバＩＣでは、通常、１出力端子あたりの最大パルス出力電流が定格として定められている。図１０（ａ）に示すバックライト装置において、ＬＥＤドライバＩＣの１出力端子あたりの最大パルス出力電流の２倍の電流をＬＥＤに供給する必要が生じた場合には、図１０（ｂ）に示すようにＬＥＤドライバＩＣの２個の出力端子を束ねて１ＬＥＤ列を駆動すればよい。しかしながら、図１０（ｂ）に示すバックライト装置では、１ＬＥＤ列に対して必要なＬＥＤドライバＩＣの出力端子数が２倍になるため、バックライト装置に使用する定電流ドライバＩＣの個数が増加してしまう。すなわち、図１０（ａ）に示すバックライト装置では４ＬＥＤ列ごとに１個の定電流ドライバＩＣを使用しているのに対し、図１０（ｂ）に示すバックライト装置では２ＬＥＤ列ごとに１個の定電流ドライバＩＣが必要となる。ここで、図１０（ｃ）に示すように２個の出力端子を束ねると共に直列接続されるＬＥＤの個数を２倍の１０個にすれば定電流ドライバＩＣの個数は同一のままでよい。しかしながら、図１０（ａ）および（ｂ）に示すバックライト装置と比べて２倍の直流電圧をＬＥＤ列に供給する必要が生じ、昇圧回路の追加等、バックライト装置における電源部が大型化してしまう。
【００１４】
それゆえに、本発明の目的は、動画の画質劣化を防ぐとともに小型化を図ることが可能な発光装置およびそれを備えた映像表示装置を提供することである。
【課題を解決するための手段】
【００１５】
上記課題を解決するために、この発明のある局面に係わる発光装置は、光を透過することにより画像を表示し、光の透過状態が所定期間ごとに更新されるパネルに光を照射する発光装置であって、各々が、１個または複数個の発光素子を含み、パネルに光を照射するｎ（ｎは２以上の自然数）個の光源回路と、光源回路を駆動する駆動回路部と、光源回路の各々と、駆動回路部との導通および非導通をそれぞれ切り替えるｎ個のスイッチと、ｎ個のスイッチを制御して、所定期間をｎ分割したｎ個の発光期間において対応の光源回路をそれぞれ発光させる制御部とを備える。
【００１６】
好ましくは、制御部は、さらに、ｎ個のスイッチを制御して、発光期間において対応の光源回路を複数回点滅させる。
【００１７】
好ましくは、パネルの表示する１つの画像は、複数のフィールド期間に分けて更新され、所定期間は、複数のフィールド期間のうちの１つのフィールド期間である。
【００１８】
好ましくは、駆動回路部は、並列に接続され、ｎ個のスイッチを介してｎ個の光源回路に電流を供給する複数個の定電流回路を含む。
【００１９】
好ましくは、駆動回路部は、光源回路に電流を供給する電流吸い込み型の定電流回路を含む。
【００２０】
好ましくは、駆動回路部は、光源回路に流れる電流を検出し、検出結果に基づいて光源回路に電圧を供給するスイッチングレギュレータ回路である。
【００２１】
好ましくは、パネルは、それぞれ液晶表示素子を含む複数個の表示領域に分割され、ｎ個の光源回路の各々は、対応の表示領域に光を照射し、制御部は、ｎ個のスイッチを制御して、表示領域の液晶表示素子に供給される電圧が更新されてから液晶表示素子の応答が完了するまで表示領域に対応する光源回路を消灯させ、表示領域の液晶表示素子の応答が完了してから表示領域に対応する光源回路を発光させる。
【００２２】
より好ましくは、パネルは、それぞれ液晶表示素子を含む複数行の表示領域に分割され、ｎ個の光源回路の各々は、直列接続される複数個の発光素子と、複数個の発光素子が直線状に配置される矩形状の発光素子用基板とを含み、ｎ個の発光素子用基板は、発光素子の配置方向がパネルの行方向と略平行になるようにパネルの列方向に並んで配置される。
【００２３】
好ましくは、制御部は、ｎ個の発光期間の長さをそれぞれ設定する。
好ましくは、発光素子は発光ダイオードである。
【００２４】
上記課題を解決するために、この発明のある局面に係わる映像表示装置は、光を透過することにより画像を表示し、光の透過状態が所定期間ごとに更新されるパネルと、各々が、１個または複数個の発光素子を含み、パネルに光を照射するｎ（ｎは２以上の自然数）個の光源回路と、光源回路を駆動する駆動回路部と、光源回路の各々と、駆動回路部との導通および非導通をそれぞれ切り替えるｎ個のスイッチと、ｎ個のスイッチを制御して、所定期間をｎ分割したｎ個の発光期間において対応の光源回路をそれぞれ発光させる制御部とを備える。
【発明の効果】
【００２５】
本発明によれば、動画の画質劣化を防ぐとともに小型化を図ることができる。
【発明を実施するための最良の形態】
【００２６】
以下、本発明の実施の形態について図面を用いて説明する。なお、図中同一または相当部分には同一符号を付してその説明は繰り返さない。
【００２７】
＜第１の実施の形態＞
図１は、本発明の第１の実施の形態に係る映像表示装置の外観図である。図２は、本発明の第１の実施の形態に係る映像表示装置の構成を示す図である。
【００２８】
図１および図２を参照して、映像表示装置１は、液晶パネル１２と、バックライト装置（発光装置）２と、映像回路部１１と、電源部１３とを備える。バックライト装置２は、光源部５１と、駆動部２２と、拡散板２３とを含む。
【００２９】
液晶パネル１２は、マトリクス状に配置された複数個の画素を含む。液晶パネル１２における各画素には液晶表示素子すなわち薄膜トランジスタ（ＴＦＴ：Thin Film Transistor）が形成されている。液晶パネル１２は、それぞれ液晶表示素子を含む複数個の表示領域に分割される。すなわち、液晶パネル１２は、たとえば１０８０行×１９２０列の画素を有し、Ｒ（赤）・Ｇ（緑）・Ｂ（青）各８ビットの入力データにより約（２8）3≒１７００万通りの色を表現することができる。以下、液晶パネル１２における１行分の画素をまとめて画素行と呼ぶ場合がある。なお、画素の行数および列数ならびに表示可能な色数は上記に限定されるものではない。
【００３０】
光源部５１は、液晶パネル１２の映像表示面の裏側に配置される。光源部５１は、光源回路２１ａ〜２４ａおよび２１ｂ〜２４ｂを含む。光源回路２１ａ〜２４ａおよび２１ｂ〜２４ｂは、それぞれＬＥＤ基板（発光素子用基板）２１２ａ１〜２１２ａ４および２１２ｂ１〜２１２ｂ４を含む。ＬＥＤ基板２１２ａ１〜２１２ａ４および２１２ｂ１〜２１２ｂ４は、直列接続された５個のＬＥＤ（発光素子）２１１が直線状に実装（配置）される矩形状の基板である。ＬＥＤ２１１はたとえば白色ＬＥＤである。ＬＥＤ基板２１２ａ１〜２１２ａ４および２１２ｂ１〜２１２ｂ４は、ＬＥＤ２１１の配置方向が液晶パネル１２の行方向と略平行になるように液晶パネル１２の列方向に並列に配置される。なお、図１では、簡単のためにＬＥＤ基板２１２ａ４および２１２ｂ４は示していない。以下、ＬＥＤ基板２１２ａ１〜２１２ａ４および２１２ｂ１〜２１２ｂ４をＬＥＤ基板２１２と総称する場合がある。また、光源回路２１ａ〜２４ａで構成されるグループをグループａと呼び、光源回路２１ｂ〜２４ｂで構成されるグループをグループｂと呼ぶ。
【００３１】
バックライト装置の発光素子としては現在主に冷陰極管（ＣＣＦＬ）が使用されているが、ＬＥＤは数ＭＨｚ〜数十ＭＨｚオーダの高速駆動が可能であるためインパルス型点灯方式の実現に適している。
【００３２】
なお、本発明の実施の形態に係る発光装置では、光源部５１は、８個の光源回路を備える構成であるとしたが、これに限定するものではなく、光源部５１が複数個の光源回路を備える構成であればよい。また、光源回路は、直列接続される５個のＬＥＤを含む構成であるとしたが、光源回路が含むＬＥＤの個数は１個であってもよく、複数個であってもよい。
【００３３】
駆動部２２が含む定電流回路とＬＥＤ基板２１２とはハーネスを用いて接続される。これにより、駆動部２２は、ＬＥＤ基板２１２上のＬＥＤ２１１を駆動することができる。
【００３４】
拡散板２３は、光源部５１と液晶パネル１２との間に挟まれた空間に設置され、光源回路２１ａ〜２４ａおよび２１ｂ〜２４ｂにおけるＬＥＤ２１１から受けた光を拡散させて均一にする。
【００３５】
図２を参照して、映像表示装置１は、映像回路部１１と、透過型の液晶パネル１２と、バックライト装置２と、ソースドライバ１２１と、ゲートドライバ１２２と、電源部１３とを備える。映像回路部１１は、映像信号入力端子１１１と、画像処理部１１２と、タイミングコントローラ（Ｔ−ＣＯＮ）１１３とを含む。バックライト装置２は、タイミング生成部（制御部）１４と、光源部５１と、駆動部２２とを含む。光源部５１は、光源回路２１ａ〜２４ａおよび２１ｂ〜２４ｂを含む。駆動部２２は、発光制御スイッチＳＷ２１ａ〜ＳＷ２４ａおよびＳＷ２１ｂ〜ＳＷ２４ｂと、ＬＥＤ駆動ＩＣ（Integrated Circuit）６１および６２とを含む。ＬＥＤ駆動ＩＣ６１および６２は、それぞれ、出力端子Ｔ１〜Ｔ４と、定電流回路Ｋ１〜Ｋ４とを含む。定電流回路Ｋ１およびＫ２は、駆動回路部ＤＶ１を構成し、定電流回路Ｋ３およびＫ４は、駆動回路部ＤＶ２を構成する。
【００３６】
光源回路２１ａ〜２４ａおよび２１ｂ〜２４ｂは、直列接続された５個のＬＥＤ２１１および抵抗２１３をそれぞれ含む。抵抗２１３は、ＬＥＤ２１１の順方向電圧のばらつきおよび変動を吸収する。
【００３７】
電源部１３は、映像回路部１１、液晶パネル１２およびバックライト装置２等に電力を供給する。
【００３８】
画像処理部１１２は、図示しない外部のアンテナおよび各種映像機器から出力された映像信号を映像信号入力端子１１１経由で受ける。画像処理部１１２は、映像信号をデコードし、液晶パネル１２に映像を表示するために必要な種々の画像処理をデコードした映像信号に対して行ない、映像信号データ、垂直同期信号（ＶＳＹＮＣ）および水平同期信号（ＨＳＹＮＣ）を生成してＴ−ＣＯＮ１１３に出力する。
【００３９】
Ｔ−ＣＯＮ１１３は、垂直同期信号および水平同期信号に基づいて、映像信号データを適切なタイミングでソースドライバ１２１およびゲートドライバ１２２に出力する。ソースドライバ１２１およびゲートドライバ１２２は、液晶パネル１２上に実装される。
【００４０】
タイミング生成部１４は、発光制御信号ＣＯＮＴＡおよびＣＯＮＴＢを駆動部２２へ出力する。
【００４１】
駆動部２２は、タイミング生成部１４から受けた発光制御信号ＣＯＮＴＡおよびＣＯＮＴＢに基づいて光源部５１を駆動する。
【００４２】
光源部５１は、駆動部２２によって駆動されて発光し、液晶パネル１２に光を照射する。
【００４３】
映像表示装置１は、以下のようにして液晶パネル１２に映像を表示する。すなわち、Ｔ−ＣＯＮ１１３は、画像処理部１１２から受けた映像信号データに含まれる各画素の電圧データすなわち各画素の液晶表示素子に供給する電圧値を表わすデータをソースドライバ１２１に順次出力する。
【００４４】
ゲートドライバ１２２は、Ｔ−ＣＯＮ１１３が１画素行分の電圧データの出力を完了した時点で画素行を選択する。そして、ソースドライバ１２１は、Ｔ−ＣＯＮ１１３から受けた各画素の電圧データに基づいて、選択された画素行の全画素の電圧値を更新する。
【００４５】
ゲートドライバ１２２は、ソースドライバ１２１が１画素行の電圧値の更新を終了すると、次の画素行を選択する。そして、ソースドライバ１２１は、Ｔ−ＣＯＮ１１３から新たに受けた各画素の電圧データに基づいて、選択された次の画素行の電圧値の更新を行なう。
【００４６】
映像表示装置１は、たとえば液晶パネル１２における全ての画素行の電圧値更新を１フィールド期間中に行ない、フィールド期間ごとに液晶パネル１２におけるすべての画素行の電圧値更新を繰り返す。映像表示装置１は、このような映像信号データの出力すなわち画素の電圧値の更新をＶＳＹＮＣに基づいて一定のタイミング、すなわちフィールド期間ごとに繰り返すことにより、液晶パネル１２上に映像を表示する。
【００４７】
ＬＥＤ駆動ＩＣ６１および６２は、定電流シンクドライバである。ＬＥＤ駆動ＩＣ６１および６２は、定電流回路Ｋ１〜Ｋ４を用いて、外部から出力端子Ｔ１〜Ｔ４へ一定の電流を流し込む。このような構成により、各発光回路におけるＬＥＤに流れる電流を常に一定とし、バックライト装置２の輝度の均一化を図ることができる。
【００４８】
なお、ＬＥＤ駆動ＩＣ６１および６２では、ＩＣ外部から出力端子Ｔ１〜Ｔ４経由でＩＣ内部に電流が引き込まれるため、正しくは電流シンク端子と呼ぶべきであるが、ここでは簡単のため出力端子と呼ぶこととする。
【００４９】
ここで、ＬＥＤ２１１の駆動回路として電流ソース型の定電流回路を用いる場合には定電流回路の片側をＬＥＤ２１１の電源電位、すなわち５個のＬＥＤ２１１の順方向電圧の和より大きい２０Ｖ程度の電位に接続する必要があるのに対し、ＬＥＤ駆動ＩＣ６１および６２は電流シンク型（電流吸い込み型）の定電流回路を用いているため、定電流回路の片側をグランド電位とすることができる。したがって、ＬＥＤ駆動ＩＣ６１および６２に耐圧の高い部品および製造プロセスを使用する必要がなく、ＬＥＤ駆動ＩＣ６１および６２の価格を低減することができる。
【００５０】
ＬＥＤ駆動ＩＣ６１および６２において、出力端子Ｔ１〜Ｔ４がそれぞれ１対１で定電流回路Ｋ１〜Ｋ４と接続される。そして、ＬＥＤ駆動ＩＣ６１の２個の出力端子Ｔ１およびＴ２が発光制御スイッチＳＷ２１ａおよびＳＷ２１ｂを介して光源回路２１ａおよび２１ｂに接続される。また、ＬＥＤ駆動ＩＣ６１の２個の出力端子Ｔ３およびＴ４が発光制御スイッチＳＷ２２ａおよびＳＷ２２ｂを介して光源回路２２ａおよび２２ｂに接続される。また、ＬＥＤ駆動ＩＣ６２の２個の出力端子Ｔ１およびＴ２が発光制御スイッチＳＷ２３ａおよびＳＷ２３ｂを介して光源回路２３ａおよび２３ｂに接続される。また、ＬＥＤ駆動ＩＣ６２の２個の出力端子Ｔ３およびＴ４が発光制御スイッチＳＷ２４ａおよびＳＷ２４ｂを介して光源回路２４ａおよび２４ｂに接続される。
【００５１】
このように、ＬＥＤ駆動ＩＣの出力端子を束ねて光源回路に接続する構成により、ＬＥＤ駆動ＩＣ６１および６２の出力端子１個あたりの定格電流の２倍の電流でＬＥＤ２１１を駆動することができる。すなわち、ＬＥＤ駆動ＩＣの１出力端子あたりの定格を超える大電流をＬＥＤ２１１に供給することができる。
【００５２】
発光制御スイッチＳＷ２１ａ〜ＳＷ２４ａおよびＳＷ２１ｂ〜ＳＷ２４ｂは、ＬＥＤ基板２１２と定電流回路とを接続する経路の途中に設けられる。発光制御スイッチＳＷ２１ａ〜ＳＷ２４ａおよびＳＷ２１ｂ〜ＳＷ２４ｂは、外部から受けた電圧に基づいて端子間の導通および非導通が切り替え可能なスイッチであり、ＭＯＳＦＥＴ（Metal Oxide Semiconductor Field Effect Transistor）およびバイポーラトランジスタ等の能動素子で実現される。発光制御スイッチＳＷ２１ａ〜ＳＷ２４ａおよびＳＷ２１ｂ〜ＳＷ２４ｂは、それぞれタイミング生成部１４から受けた発光制御信号ＣＯＮＴＡおよびＣＯＮＴＢに基づいてオン状態およびオフ状態を切り替えることにより、駆動回路部から光源回路２１ａ〜２４ａおよび２１ｂ〜２４ｂにおけるＬＥＤ２１１へそれぞれ電流を供給するか否かを切り替える。
【００５３】
図３は、タイミング生成部１４の構成を示す機能ブロック図である。
図３を参照して、タイミング生成部１４は、クロック生成部１４１と、カウンタ１４２と、鋸波発生器１４３と、単極双投（single pole double transfer）スイッチ１４４と、コンパレータ１４５および１４６とを含む。
【００５４】
図４（ａ）〜（ｈ）は、タイミング生成部１４の動作を示す波形図である。なお、図３において（ａ）〜（ｈ）で示す信号の波形が、それぞれ図４（ａ）〜（ｈ）において示されている。
【００５５】
図３および図４を参照して、クロック生成部１４１は、ＰＬＬ（Phase Locked Loop）を含み、画像処理部１１２から受けたＶＳＹＮＣ（ａ）を逓倍した逓倍クロック（ｂ）を生成する。
【００５６】
カウンタ１４２は、クロック生成部１４１から受けた逓倍クロック（ｂ）に基づいてカウントアップを行ない、カウント値（ｄ）を単極双投スイッチ１４４へ出力する。また、カウンタ１４２は、画像処理部１１２から受けたＶＳＹＮＣ（ａ）に基づいてカウント値（ｄ）をリセットする。
【００５７】
クロック生成部１４１は、図４に示すように、たとえば、画像処理部１１２から受けたＶＳＹＮＣ（ａ）を４逓倍した逓倍クロック（ｂ）を生成する。
【００５８】
このため、カウンタ１４２は、０から３までカウントアップして再びカウント値（ｄ）を０に戻す。
【００５９】
鋸波発生器１４３は、クロック生成部１４１から受けた逓倍クロック（ｂ）に基づいて
逓倍クロック（ｂ）と同じ周期を有する鋸波（ｃ）を生成する。
【００６０】
単極双投スイッチ１４４は、カウンタ１４２から受けたカウント値（ｄ）に基づいて、鋸波発生器１４３から受けた鋸波（ｃ）をコンパレータ１４５またはコンパレータ１４６へ出力する。より詳細には、単極双投スイッチ１４４は、カウンタ１４２から受けたカウント値が０または１の場合には鋸波（ｃ）をコンパレータ１４５へ出力し、カウント値（ｄ）が２または３の場合には鋸波（ｃ）をコンパレータ１４６へ出力する。
【００６１】
コンパレータ１４５は、設定値ＶＣＯＭＰ１を有しており、鋸波（ｅ）の信号レベルが設定値ＶＣＯＭＰ１以下である場合にはＬレベルの信号を発光制御信号ＣＯＮＴＡとして出力し、鋸波（ｅ）の信号レベルが設定値ＶＣＯＭＰ１より大きい場合にはＨレベルの信号を発光制御信号ＣＯＮＴＡとして出力する（図４の（ｇ））。
【００６２】
コンパレータ１４６は、設定値ＶＣＯＭＰ２を有しており、鋸波（ｆ）の信号レベルが設定値ＶＣＯＭＰ２以下である場合にはＬレベルの信号を発光制御信号ＣＯＮＴＢとして出力し、鋸波（ｆ）の信号レベルが設定値ＶＣＯＭＰ２より大きい場合にはＨレベルの信号を発光制御信号ＣＯＮＴＢとして出力する（図４の（ｈ））。
【００６３】
すなわち、タイミング生成部１４は、１フィールド期間の前半または後半に２つのパルスを有する、ＶＳＹＮＣに同期したデジタル信号を生成することができる。タイミング生成部１４は、それぞれ設定値ＶＣＯＭＰ１およびＶＣＯＭＰ２の値を変更することにより、パルス幅ｔ１およびｔ２を任意に変更することができる。タイミング生成部１４は、発光制御信号ＣＯＮＴＡおよびＣＯＮＴＢを駆動部２２へ出力する。
【００６４】
ところで、特許文献１に示されるようなインパルス型点灯方式を実現する場合、バックライト装置の輝度を確保するために、ＬＥＤに供給するピーク電流値を従来のホールド型駆動方式における電流値と比べて増加させる必要があり、バックライト装置が大型化してしまうという問題点があった。しかしながら、本発明の第１の実施の形態に係るバックライト装置では、タイミング生成部１４は、１フィールド期間を２分割した発光期間において対応の光源回路におけるＬＥＤ２１１をそれぞれ発光させる。たとえば、タイミング生成部１４は、発光制御スイッチＳＷ２１ａおよびＳＷ２１ｂを制御して、駆動回路部ＤＶ１から光源回路２１ａへの駆動経路の形成、および駆動回路部ＤＶ１から光源回路２１ｂへの駆動経路の形成を１フィールド期間において時間的に切り替える。すなわち、光源回路２１ａおよび２１ｂの駆動回路として１個の駆動回路部ＤＶ１を共通に使用し、２つの定電流回路Ｋ１およびＫ２が２つの光源回路２１ａおよび２１ｂを駆動する。このような構成により、バックライト装置全体で必要な定電流回路の総数は、従来のホールド型駆動方式において１つの定電流回路で１つの光源回路を駆動する場合と等しくなる。したがって、インパルス型点灯方式においてホールド型駆動方式と同等の輝度を確保するためにピーク電流値を増加させた場合においても、ＬＥＤ駆動ＩＣの個数の増加を防ぐことができ、バックライト装置の小型化、薄型化および低価格化を図ることができる。
【００６５】
なお、本発明の第１の実施の形態に係るバックライト装置では、光源回路に大きなピーク電流を流すためにＬＥＤ駆動ＩＣの２個の出力端子を束ねて光源回路に接続する構成であるとしたが、これに限定するものではない。ＬＥＤ駆動ＩＣの１個の出力端子の最大パルス出力電流に余裕がある場合は、ＬＥＤ駆動ＩＣの１個の出力端子をスイッチを介して複数個の光源回路に接続する構成とすることが可能である。このような構成であっても、前述のようにたとえば駆動回路部ＤＶ１から光源回路２１ａへの駆動経路の形成、および駆動回路部ＤＶ１から光源回路２１ｂへの駆動経路の形成を１フィールド期間において時間的に切り替えることができ、ＬＥＤ駆動ＩＣの総使用個数を削減することができるという効果を奏する。
【００６６】
ここで、ソースドライバ１２１から液晶パネル１２における液晶表示素子に供給する電圧値の更新を開始してから実際に液晶表示素子における液晶分子の応答が完了するまでには数ミリ秒の時間を要する。ホールド型駆動方式では、液晶表示素子の応答中、すなわち画像が変化している最中もバックライト装置が点灯しているが、インパルス型点灯方式では、液晶表示素子の応答中はバックライト装置を消灯しておき、液晶表示素子の応答が完了した状態でバックライト装置を点灯させることにより、動画表示性能を向上させることが望ましい。
【００６７】
図５（ａ）〜（ｅ）は、本発明の第１の実施の形態に係るバックライト装置が映像信号に同期してＬＥＤを駆動する際の動作を示す図である。図５（ｃ）および（ｅ）において、１〜１０８０の数字は液晶パネル１２の画素行の番号を示す。また、Ａの網掛け部分は、対応の画素行における各画素の電圧データがソースドライバ１２１へ出力されている期間を示す。また、Ｂの網掛け部分は、液晶表示素子が供給電圧に対して応答中である期間を示す。
【００６８】
図５を参照して、タイミング生成部１４は、液晶パネル１２における１０８０行の画素行のうちの上半分、すなわち第１行から第５４０行までの画素行の応答が完了した時点で発光制御信号ＣＯＮＴＡをＨレベルとしてａグループのＬＥＤ２１１を点灯させる（図５（ｂ）および（ｃ））。一方、タイミング生成部１４は、液晶パネル１２における１０８０行の画素行のうちの下半分、すなわち第５４１行から第１０８０行までの画素行は応答中であるため、発光制御信号ＣＯＮＴＢをＬレベルとしてｂグループのＬＥＤ２１１は消灯しておく（図５（ｄ）および（ｅ））。
【００６９】
そして、タイミング生成部１４は、液晶パネル１２における第５４１行から第１０８０行までの画素行の応答が完了した時点で発光制御信号ＣＯＮＴＢをＨレベルとしてｂグループのＬＥＤ２１１を点灯させる（図５（ｄ）および（ｅ））。一方、タイミング生成部１４は、液晶パネル１２における第１行から第５４０行までの画素行は応答中であるため、発光制御信号ＣＯＮＴＡをＬレベルとしてａグループのＬＥＤ２１１は消灯しておく（図５（ｂ）および（ｃ））。
【００７０】
ここで、液晶パネル１２の全画素行を一斉に駆動する駆動方法を採用した場合、液晶表示素子の応答時間をたとえば１フィールド期間の１／２に相当する８ｍｓｅｃとすると、１フィールド期間の残り１／２しか発光期間を確保できない。また、ａグループおよびｂグループで駆動回路を共用する場合、各グループの発光期間は１フィールド期間の１／４になってしまう。
【００７１】
しかしながら、本発明の第１の実施の形態に係るバックライト装置では、タイミング生成部１４は、液晶パネル１２の上半分の画素行および下半分の画素行にそれぞれ対応する光源回路を１フィールド期間の前半および後半で順番に駆動する。このような構成により、ａグループおよびｂグループの光源回路におけるＬＥＤ２１１は、液晶表示素子の応答が完了した状態での発光期間を１フィールド期間の１／２ずつ確保することができる。なお、タイミング生成部１４は、発光期間において光源回路におけるＬＥＤ２１１を２回点滅させる構成であるが、このような構成であっても、十分な長さの発光期間を確保し、効率よくバックライト装置を発光させることが可能である。
【００７２】
また、本発明の第１の実施の形態に係るバックライト装置では、タイミング生成部１４は、１フィールド期間を分割した複数個の発光期間の長さをそれぞれ設定する。すなわち、タイミング生成部１４におけるコンパレータ１４５および１４６が用いる設定値ＶＣＯＭＰ１およびＶＣＯＭＰ２を変更することにより、発光制御信号ＣＯＮＴＡのパルス幅ｔ１および発光制御信号ＣＯＮＴＢのパルス幅ｔ２を調整し、バックライト装置の輝度を任意に変更することができる。ここで、バックライト装置の輝度は、映像信号および周囲環境その他の条件に応じて手動もしくは自動で調整する。たとえば周囲環境が暗い場合にはバックライト装置の輝度を下げ、明るい色が多く含まれる映像信号を表示する場合にはバックライト装置の輝度を高くすることができる。
【００７３】
また、特許文献１に示されるようなインパルス型点灯方式のバックライト装置を実現する場合には、以下のような課題が存在する。
【００７４】
図６は、点滅の周波数と、人間が点滅を視覚的に認識するレベルとの関係を示す図である。
【００７５】
図６を参照して、人間の眼は光の点滅に対してローパス特性を有しており、光の点滅速度が速くなるほど人間は点滅していることを認識しにくくなる。人間が点滅を認識できる限界の周波数は条件にもよるがおおよそ６０Ｈｚ前後であり、６０Ｈｚより点滅速度を速くすると人間は点滅していることを認識できなくなる。なお、非特許文献１によると光源の輝度レベルによっては図６に示すようなローパス特性でなくバンドパス特性となる場合があるが、いずれにしても６０Ｈｚを閾値として、６０Ｈｚ以下の点滅は人間がある程度認識できるのに対し、６０Ｈｚよりも高い周波数の点滅は人間がほとんど認識できなくなる。
【００７６】
特許文献１記載の映像表示装置では、１フィールド期間に１回、つまり人間が点滅を認識する閾値である６０Ｈｚで光源が点滅することから、観察者は光源の点滅を弱いながらもある程度認識することになる。このため、特許文献１記載の映像表示装置では、画面のちらつきすなわちフリッカ妨害と呼ばれる画質劣化を観察者が感じてしまうという問題点があった。フリッカ妨害は、眼精疲労の原因となる等、観察者に悪影響を及ぼすものである。
【００７７】
図７（ａ）は、従来のインパルス型点灯方式を採用するディスプレイにおける発光制御信号を示す波形図である。（ｂ）は、本発明の第１の実施の形態に係るバックライト装置における発光制御信号を示す波形図である。（ｃ）は、従来のインパルス型点灯方式を採用するディスプレイにおける発光制御信号と、本発明の第１の実施の形態に係るバックライト装置における発光制御信号とに対して、それぞれ高速フーリエ変換（ＦＦＴ）を行なった結果を示すグラフ図である。
【００７８】
図７では、１フィールド期間は１６．７ｍｓｅｃ、つまり、ＮＴＳＣ方式に従って光源を点灯させたと仮定している。また、従来のインパルス型点灯方式を採用するディスプレイおよび本発明の第１の実施の形態に係るバックライト装置の輝度が等しい条件で比較するため、図７（ａ）および（ｂ）における発光期間は１フィールド期間の１/４の期間であると仮定している。また、図７（ｃ）において、グラフａは、１フィールド期間において１回の点滅を行なった場合における高速フーリエ変換の結果を示している。グラフｂは、１フィールド期間において２回の点滅を行なった場合におけるフーリエ変換の結果を示している。
【００７９】
グラフａの発光制御信号、およびグラフｂの発光制御信号には、共に６０Ｈｚの周波数成分が存在することが分かる。これは、ＮＴＳＣ方式における１フィールド期間が６０Ｈｚに相当することに起因するものであり、ＮＴＳＣ方式の場合には６０Ｈｚの周波数成分が必ず存在する。
【００８０】
ここで、グラフａおよびグラフｂの６０Ｈｚの周波数成分を比較すると、グラフｂの方がグラフａと比べて６０Ｈｚの周波数成分のパワーが小さいことが分かる。これは、タイミング生成部１４が、１フィールド期間においてＨレベルとなる期間が２回存在する発光制御信号を生成することにより、発光制御信号の周波数成分を６０Ｈｚよりも高い周波数成分にパワーを分散させているからである。
【００８１】
前述のように、６０Ｈｚを境界にして点滅に対する人間の視覚的認識能力は著しく劣化する。すなわち、グラフａで示される点灯方式と比べてグラフｂで示される点灯方式の方が、観察者がフリッカ妨害を感じにくい点灯方式であることが分かる。
【００８２】
以上より、本発明の第１の実施の形態に係るバックライト装置では、１フィールド期間において発光期間および消灯期間を設けるインパルス型点灯方式を実現していることから、ホールド型駆動方式のディスプレイの尾引き等の動画画質劣化を改善することが可能である。さらに、本発明の第１の実施の形態に係るバックライト装置では、従来のインパルス型点灯方式を行なうバックライト装置と比べて発光制御信号の６０Ｈｚの周波数成分のパワーを小さくできることから、観察者が感じるフリッカ妨害を軽減することができる。
【００８３】
また、本発明の第１の実施の形態に係るバックライト装置では、バックライト装置の発光素子として従来主に使用されている冷陰極管（ＣＣＦＬ）に代えて高速駆動可能な発光ダイオードを使用する。このような構成により、発光素子の発光期間を短くすることで、インパルス型点灯方式の理想的な駆動パルス波形を実現することができる。
【００８４】
なお、本発明の第１の実施の形態に係るバックライト装置では、タイミング生成部１４は、１フィールド期間の前半または後半に２つのパルスを有する発光制御信号を生成する構成であるとしたが、これに限定するものではない。タイミング生成部１４は、１フィールド期間の前半または後半に３つ以上のパルスを有する発光制御信号を生成する構成とすることができる。このような構成により、発光制御信号の６０Ｈｚの周波数成分のパワーをさらに低減し、動画のフリッカ妨害をさらに軽減することができる。たとえば、タイミング生成部１４におけるクロック生成部１４１が含むＰＬＬの構成を変更して、クロック生成部１４１が、画像処理部１１２から受けたＶＳＹＮＣを８逓倍した逓倍クロックを生成する。この場合、１フィールド期間の前半または後半に４つのパルスを有する発光制御信号を生成することができる。
【００８５】
また、本発明の第１の実施の形態に係るバックライト装置では、光源部５１が含む光源回路を２グループに分割する構成であるとしたが、これに限定するものではない。光源部５１が含む光源回路を３グループ以上に分割し、タイミング生成部１４が、１フィールド期間をグループ数だけ分割した発光期間において対応の光源回路をそれぞれ発光させる構成とすることができる。
【００８６】
また、本発明の第１の実施の形態に係るバックライト装置では、ＬＥＤ駆動ＩＣ６１の外部に発光制御スイッチＳＷ２１ａ、ＳＷ２１ｂ、ＳＷ２２ａおよびＳＷ２２ｂを備える構成であるとしたが、これに限定するものではない。発光制御スイッチＳＷ２１ａ、ＳＷ２１ｂ、ＳＷ２２ａおよびＳＷ２２ｂを集積回路化してＬＥＤ駆動ＩＣ６１に内蔵させることも可能である。また、発光制御スイッチＳＷ２３ａ、ＳＷ２３ｂ、ＳＷ２４ａおよびＳＷ２４ｂも同様に集積回路化してＬＥＤ駆動ＩＣ６２に内蔵させることが可能である。このような構成により、バックライト装置をさらに小型化することができる。
【００８７】
次に、本発明の他の実施の形態について図面を用いて説明する。なお、図中同一または相当部分には同一符号を付してその説明は繰り返さない。
【００８８】
＜第２の実施の形態＞
本実施の形態は、第１の実施の形態に係る映像表示装置と比べて駆動部の構成を変更した映像表示装置に関する。
【００８９】
図８は、本発明の第２の実施の形態に係る映像表示装置の構成を示す図である。
図８を参照して、映像表示装置３は、本発明の第１の実施の形態に係る映像表示装置と比べて、バックライト装置２の代わりにバックライト装置４を備える。バックライト装置４は、タイミング生成部１４と、光源部５１と、駆動部３２とを含む。駆動部３２は、発光制御スイッチＳＷ２１ａ〜ＳＷ２４ａおよびＳＷ２１ｂ〜ＳＷ２４ｂと、スイッチングレギュレータ回路７１とを含む。スイッチングレギュレータ回路７１は、電流センス抵抗Ｒ１１〜Ｒ１４と、コンパレータ３２２と、コントローラ３２３と、スイッチ３２４と、ダイオードＤ１と、コイルＬ１と、コンデンサＣ１とを含む。スイッチングレギュレータ回路７１は、本発明における駆動回路部に相当する。
【００９０】
スイッチングレギュレータ回路７１は、光源回路２１ａ〜２４ａおよび２１ｂ〜２４ｂに流れる電流を検出し、検出結果に基づいて光源回路２１ａ〜２４ａおよび２１ｂ〜２４ｂに直流電圧を供給する。
【００９１】
より詳細には、光源回路２１ａ〜２４ａおよび２１ｂ〜２４ｂに流れる電流は、電流センス抵抗Ｒ１１〜Ｒ１４の両端電圧として検出される。
【００９２】
コンパレータ３２２は、電流センス抵抗Ｒ１１の両端電圧と予め設定されている設定値とを比較し、比較結果に基づく誤差信号をコントローラ３２３に出力する。
【００９３】
コントローラ３２３は、コンパレータ３２２から受けた誤差信号に基づいて、スイッチ３２４のオン状態およびオフ状態を切り替える。スイッチ３２４は、電源部１２から受けた直流電圧を後段の回路へ出力するか否かを切り替える。
【００９４】
ダイオードＤ１は、スイッチ３２４から受けた電圧を半波整流してコイルＬ１およびコンデンサＣ１へ出力する。
【００９５】
コイルＬ１およびコンデンサＣ１は、半波整流後の電圧を平滑して直流電圧を生成し、光源回路２１ａ〜２４ａおよび２１ｂ〜２４ｂにおけるＬＥＤ２１１へ出力する。
【００９６】
このように、スイッチングレギュレータ回路７１は、電流センス抵抗Ｒ１１の両端電圧と設定値との誤差に応じてＬＥＤ２１１へ供給する電圧を制御するフィードバック制御を行なう。このような構成により、電流センス抵抗Ｒ１１の両端電圧、すなわちＬＥＤ２１１に流れる電流値を常に一定にすることができる。また、スイッチングレギュレータ回路７１は、ＬＥＤ２１１の順方向電圧のばらつきおよび変動を吸収することができるため、本発明の第１の実施の形態に係るバックライト装置における光源回路の抵抗２１３が不要になる。また、光源回路の抵抗２１３と比べて、電流センス抵抗Ｒ１１〜Ｒ１４の抵抗値を小さくすることができる。すなわち、ＬＥＤ２１１に大電流を流す場合でもＬＥＤ２１１に直列接続された抵抗による熱損失を低減することができ、バックライト装置の消費電力を低減することができる。
【００９７】
なお、本発明の第２の実施の形態に係るバックライト装置では、ＬＥＤ２１１の電気的特性のばらつきが小さい場合を想定している。このため、光源回路２１ａおよび２１ｂにおけるＬＥＤ２１１に対するフィードバック制御を行なっており、他の光源回路では同じ抵抗値の電流センス抵抗Ｒ１２〜Ｒ１４を配置するだけでフィードバック制御を行なっていない。
【００９８】
しかしながら、このような構成以外に、たとえばグループａおよびグループｂの１組の光源回路ごとにフィードバックループを設け、それぞれ独立に光源回路に供給する電圧すなわちＬＥＤ２１１に流れる電流をフィードバック制御する構成であってもよい。また、カレントミラー回路等を用いて、フィードバックループが設けられていない光源回路のＬＥＤ２１１に流れる電流値をフィードバックループが設けられた光源回路のＬＥＤ２１１に流れる電流値に合わせる構成であってもよい。上記のいずれの構成を採用するかはＬＥＤ２１１の電気的特性のばらつきの大きさおよび許容される部材コスト等に応じて決定することができる。
【００９９】
その他の構成および動作は第１の実施の形態に係る映像表示装置と同様であるため、ここでは詳細な説明を繰り返さない。
【０１００】
したがって、本発明の第２の実施の形態に係る映像表示装置では、本発明の第１の実施の形態に係る映像表示装置と同様に、動画の画質劣化を防ぐとともに小型化を図ることができる。
【０１０１】
なお、本発明の第１および第２の実施の形態に係る映像表示装置では、ＬＥＤ２１１は白色ＬＥＤであるとしたが、これに限定されるものではなく、ＬＥＤ２１１の代わりにＲ・Ｇ・Ｂの三色のＬＥＤを備え、三色のＬＥＤからの光の混色により白色光を得る構成とすることができる。
【０１０２】
また、本発明の第１および第２の実施の形態に係る映像表示装置は、フィールド周波数が約６０ＨｚのＮＴＳＣ方式の映像信号に基づいて映像を表示する構成に限定されるものではなく、ＮＴＳＣ方式以外に、たとえばＰＡＬ（Phase Alternation by Line system）方式、ＳＥＣＡＭ（SEquential Couleur Avec Memoire）方式およびＨＤＴＶ（High Definition Television）方式など、所定のフィールド期間ごとに画像が更新される任意の方式に対応させることが可能である。
【０１０３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１０４】
【図１】本発明の第１の実施の形態に係る映像表示装置の外観図である。
【図２】本発明の第１の実施の形態に係る映像表示装置の構成を示す図である。
【図３】タイミング生成部１４の構成を示す機能ブロック図である。
【図４】（ａ）〜（ｈ）は、タイミング生成部１４の動作を示す波形図である。
【図５】（ａ）〜（ｅ）は、本発明の第１の実施の形態に係るバックライト装置が映像信号に同期してＬＥＤを駆動する際の動作を示す図である。
【図６】点滅の周波数と、人間が点滅を視覚的に認識するレベルとの関係を示す図である。
【図７】（ａ）は、従来のインパルス型点灯方式を採用するディスプレイにおける発光制御信号を示す波形図である。（ｂ）は、本発明の第１の実施の形態に係るバックライト装置における発光制御信号を示す波形図である。（ｃ）は、従来のインパルス型点灯方式を採用するディスプレイにおける発光制御信号と、本発明の第１の実施の形態に係るバックライト装置における発光制御信号とに対して、それぞれ高速フーリエ変換（ＦＦＴ）を行なった結果を示すグラフ図である。
【図８】本発明の第２の実施の形態に係る映像表示装置の構成を示す図である。
【図９】（ａ）は、映像表示装置における垂直同期信号を示す波形図である。（ｂ）〜（ｄ）は、映像表示装置におけるシャッタのオン状態およびオフ状態のタイミングを示す波形図である。
【図１０】（ａ）〜（ｃ）は、バックライト装置における駆動部の構成を示す図である。
【符号の説明】
【０１０５】
１，３  映像表示装置、２，４  バックライト装置（発光装置）、１１  映像回路部、１２  液晶パネル、１３  電源部、１４  タイミング生成部（制御部）、２１ａ〜２４ａ，２１ｂ〜２４ｂ  光源回路、２２，３２  駆動部、２３  拡散板、５１  光源部、６１，６２  ＬＥＤ駆動ＩＣ、７１  スイッチングレギュレータ回路、１１１  映像信号入力端子、１１２  画像処理部、１１３  タイミングコントローラ（Ｔ−ＣＯＮ）、１２１  ソースドライバ、１２２  ゲートドライバ、１４１  クロック生成部、１４２  カウンタ、１４３  鋸波発生器、１４４  単極双投スイッチ、１４５，１４６  コンパレータ、２１１  ＬＥＤ、２１３  抵抗、３２２  コンパレータ、３２３  コントローラ、３２４  スイッチ、Ｄ１  ダイオード、Ｌ１  コイル、Ｃ１  コンデンサ、ＤＶ１，ＤＶ２  駆動回路部、Ｋ１〜Ｋ４  定電流回路、ＳＷ２１ａ〜ＳＷ２４ａ，ＳＷ２１ｂ〜ＳＷ２４ｂ  発光制御スイッチ、Ｔ１〜Ｔ４  出力端子、Ｒ１１〜Ｒ１４  電流センス抵抗。
【図１】
2008096902.tif 000003
【図２】
2008096902.tif 000004
【図３】
2008096902.tif 000005
【図４】
2008096902.tif 000006
【図５】
2008096902.tif 000007
【図６】
2008096902.tif 000008
【図７】
2008096902.tif 000009
【図８】
2008096902.tif 000010
【図９】
2008096902.tif 000011
【図１０】
2008096902.tif 000012